(57)【特許請求の範囲】
【請求項１】
表層、裏層、そして中間層からなり、タンニン酸ラテックス等の低アレルギー・ラテックスを素材とし、体圧分散性を有し、高反発性の弾力体からなる表層である表面材（１）と、該表面材（１）と同様か、あるいは、発泡倍率を変えた裏層である底面材（３）とを設け、該表面材（１）に比べて底面材（３）の厚みを厚く設けると共に、該表面材（１）と該底面材（３）との間に、硬さ及び軽さを調整するため、発泡倍率を変えたり、複数の通孔を有する剛体の発泡ポリスチレン製ボード材（２）を設けたことを特徴とする敷布団、枕、ベッドマット又はクッション。
【発明の詳細な説明】
【技術分野】
【０００１】
この発明は、敷布団、枕、ベッドマット及びクッションに関する。
【背景技術】
【０００２】
従来、敷布団は、掛け布団と一体的に、日本人の安らかな睡眠をとることのできる代表的な寝具であり、現状の就寝や休憩等に使用される敷布団、枕、ベッドマットあるいはクッションは、以下のとおり概括される。
１）座位や就寝位での体と敷布団との接触部の硬度を柔らかくして、体圧を広い面積で受けることにより、接触面の単位面積あたりの圧力を軽減し、圧迫感を避けるように設計されているものが一般的である。低反発枕や低反発布団は、その典型的な例である。
２）寝返りや、体動の少ないクッションが望ましいとされていた。
【０００３】
こうしたなかで、就寝時の体圧の集中を軽減して、就寝中に圧迫感を感じることの少ない多層マットレスの提案が知られている（例えば、特許文献１を参照）。
【特許文献１】特開２００５−１６０６０１号公報
【０００４】
しかしながら、これまでの研究で、長時間維持できる理想的な姿勢はなく、数時間以上の連続的に就寝や座位を継続する場合には、特定の部位や筋肉に圧迫や緊張が生じ、循環障害や筋疲労が生じ、腰背部痛や循環障害による褥瘡などの発症要因となる。
【発明の開示】
【発明が解決しようとする課題】
【０００５】
そこで、この発明は、快適な睡眠と寝覚めを保証できる敷布団、枕、ベッドマット、座位のまま疲れの少ないクッションを開発し、提供することにある。
【課題を解決するための手段】
【０００６】
この発明による課題を解決するための手段としては、敷布団、枕、ベドマットおよびクッションは、複数層から構成され、就寝時の体の揺動を促進し、固定姿勢によって生じる循環障害による筋肉のこわばり、痛み、褥着（床擦れ）を予防できる敷布団、枕、ベッドマット及び長時間座位の姿勢を保持しても疲れの少ないクッションを提供するものである。
【発明の効果】
【０００７】
この発明によると、敷布団、枕、ベッドマット及びクッションを複数層に形成し、表面に、体圧分散層を有する高反発性の表面材を設けており、次層に上下層とは分離した剛体で軽量のボード材を設けており、就寝中に体や頭部が沈み込むこともなくなる。更に重要な効果は、中間の該ボード材が、剛体であることによって、従来のクッションによる所謂ハンモック現象、すなわち体重によりクッションが撓みハンモック状態（谷底状態）となって体動がしにくくなる点を解消し、底部の弾性部材の弾性作用と協働して、横方向に寝返りをした場合に、横方向への体重移動に伴いボードが寝返り側に傾斜してシーソーの役目を果たすことにより、寝返りを促進する作用を発揮することで簡単に寝返りを打つことができる。このようにして、体圧分散性と、寝返りの促進作用の両者を備えた快適な敷布団、枕、ベッドマットまたはクッションを提供しようとするものである。
【発明を実施するための最良の形態】
【０００８】
以下、この発明の好適な実施の形態については、敷布団、枕、ベッドマット及びクッションにおいて、３〜５層の複層構造に形成し、表面材および底面材は体圧分散層に形成すると共に、これら表面材および底面材の中間層には、撓みの少ない剛体で軽量な素材を介して弾力体層を形成してなる敷布団、枕、ベッドマット及びクッションから構成されるものである。さらに、横方向への寝返りを促進するため、敷布団、枕、ベッドマットまたはクッションの表面層の横方向の辺縁に転げ落ち予防用の土手状の傾斜を設ける。また、最下層の弾性体層には、ボードの傾斜や揺動が容易になり、体が揺動し、寝返りしやすいように、上面方向に円錐状または半球状の凹凸を設ける。
【０００９】
さらに、表面層とボード層の間に、空気層を設けて、就寝開始時には空気圧を低くし、クッション性を高めて、体圧分散を高めて眠りやすくし、就寝30分後頃より空気圧を徐々に高めて高反発性にし、これにより就寝中の体の沈みこみを防ぎ揺動や寝返りを容易にする構造にする。空気圧の調整は、ポンプにタイマーを設けて適宜個人の就寝の性向に応じて時間を調整できるものとする。または、敷布団または枕に加速度センサーを設けて、体動が一定時間小さくなった時点を眠り込みと判断させ、この時点から空気圧を徐々に高める構造にしても良い。これらの理由は、眠り込むまでの30分位は、体圧分散性を高めた方が眠り込みやすいこと。眠り込んで30分位を超えると、体動を促進する構造の方が、体の血液循環の上で快適な眠りを維持できるためである。
【実施例】
【００１０】
次に、この発明の一実施例である3層構造とした敷布団、枕、ベッドマット及びクッションを図面に従って説明すると、図１に示すとおり、敷布団、枕、ベッドマット及びクッションにおいて、体圧分散性を有し、高反発性の弾力体からなる表面材（１）と、該表面材（１）と同じく、高反発性の弾力体からなる底面材（３）を設け、表面材（１）と底面材（３）との間に、剛体のボード材（２）を設けたことを特徴とする敷布団、枕、ベッドマット及びクッションから構成されるものである。
【００１１】
先ず、体圧分散性を有し、高反発性の弾力体からなる表面材（１）は、ラテックスを素材としており、該表面材（１）の厚みは、概略２ｃｍ程度である。ここで、最表面層のソフト感を高めるため上層をより柔らかい層とし、第二層を高反発にするなど表面材（１）を二層構成としても良い。
【００１２】
従来のラテックス素材は、ゴムアレルギーを起こすことがあり、これを予防するために、好適には低アレルギー・ラテックス（タンニン酸ラテックス）を使用する。
【００１３】
また、底面に位置する、底面材（３）は、表面材（１）と同様にラテックスを素材としており、厚みは、５ｃｍ程度のものである。硬さは、発泡倍率を15倍、20倍そして30倍の３種類に変えることにより、そのうちから、適宜選択すればよい。
【００１４】
表面材（１）および底面材（３）の素材であるラテックスは、いずれも天然ゴムの発泡素材からなり、耐久性は10年あり、かつ、６〜７年で生分解される。因みに、合成ラテックスは、２〜３年で劣化してしまうことを考えると長持ちする。なお、ラテックスとは生ゴムの原料を指称する用語であり、合成ゴムの原料の場合にもいう。
【００１５】
さらに、ボード材（２）の素材は、PS/PE 共重合樹脂「ピオセラン」（商標：積水化成品工業株式会社製）と呼ばれる高機能樹脂であり、高衡撃吸収性、高剛性等に優れ、しかも、リサイクル可能な発泡体からなるボード材であり、硬さ及び軽さを調整するため発泡倍率を変えたものを用いることができる。
【００１６】
そして、図２に示すように、該ボード材（２）は、発泡ポリスチレン製であり、複数の通孔（２ａ）を形成しており、これにより通気性を設けて表面材（１）と底面材（３）間に通気可能に形成しており、また、複数の通孔（２ａ）を形成することにより、表面材（１）および底面材（３）との摩擦力を確保し、これらの材がズレることを防止でき、さらに、前述のように、ボード材（２）は、軽量であると共に、倍率を変更することにより硬さも調整できる。
【００１７】
この発明は、３層構造のものを示したが、４層、５層であってもよく、また、この発明の使用状態において、敷布団、枕、ベッドマット及びクッションは、就寝時、人体（Ｘ）が静上している状態では、図３（ａ）のようになり、人体が（Ｘ）が、寝返り、揺動等の体動する場合には、図３（ｂ）のようになるものである。
【００１８】
ここでは、横方向への寝返りを促進するため、敷布団、枕、ベッドマットまたはクッションの表面層（１）の横方向の辺縁に転げ落ち予防用の土手状の傾斜を設ける等の改変が考慮されてよい〔図４参照〕。
【００１９】
さらに、最下層の弾性体層（３）には、ボード（２）の傾斜や揺動が容易になり、体が揺動し、寝返りしやすいように、上面方向に円錐状または半球状の凹凸を設ける場合も考慮される〔図４参照〕。
【００２０】
さらに、積極的な手段構成として、図４に示すように、表面層（１）とボード層（２）の間に、空気層（４）を設けて、就寝開始時には空気圧を低くクッション性を良くし、体圧分散性を高めることにより入眠しやすく、入眠が行われる就寝30分後頃より空気圧を徐々に高めて高反発性にし、これにより就寝中の体の沈みこみを防ぎ揺動や寝返りを容易にする構造とする場合がある。空気圧の調整は、ポンプにタイマーを設けて適宜個人の入眠の性向に応じて時間を調整できるものとする。または、敷布団の中心部に市販の加速度センサーを複数設けて、体動が一定時間（５分程度）小さくなった時点を入眠時と判断させ、この時点から空気圧を徐々に高める構造にしても良い。この理由は、就寝後入眠までの30分位は、体圧分散性を高めた方が入眠しやすいという実験結果に基づいている。入眠後は、空気圧を高めて、体の沈みこみを少なくし、寝返りや体動を促進する構造の方が、体の血液循環の図り、体の一定局所への圧力の集中を避け、褥瘡を予防し、快適な眠りを維持し、快適な寝起きを保障することができるためである。
【図面の簡単な説明】
【００２１】
【図１】この発明の一実施例を示す正面図である。
【図２】この発明に使用するボード材の一部欠截平面図である。
【図３】この発明の使用状態を示し、（ａ）は静止時の正面図、（ｂ）は揺動時の正面図である。
【図４】この発明の基本構成に付加的な技術手段を組み入れた敷布団の使用状態を示す静止時の正面視説明図である。
【符号の説明】
【００２２】
１    表面材
２    ボード材
２ａ  通孔
３    底面材
４    空気層
Ｘ    人体
【図１】
0004879864.tif 000002
【図２】
0004879864.tif 000003
【図３】
0004879864.tif 000004
【図４】
0004879864.tif 000005